(57)【特許請求の範囲】
【請求項１】
表面が難燃素材又は不燃素材で構成され、ペットの体を覆うように着用させ、該ペットを災害時の火災及び外部衝撃から保護するペット用防災用品であって、
前記ペットの頭部を通して着用させるための開口部であって、首元で止まるように縁が伸縮性の部材で構成される前記開口部を備え、前記ペットの頭部を覆う部位であるフード部と、
前記フード部が備える前記開口部の縁であって前記ペットの首下位置から、前記ペットの腹下位置まで帯状に延び、前記ペットの腹部を覆うための腹部保護用垂れ部と、
前記腹部保護用垂れ部の先端に設置され、前記ペットの胴周り方向へ左右両側に延び、当該ペット用防災用品を外側から巻き押さえるように止めるベルト部と、
前記フード部の上部に位置し、前記ペットの頭部を外部衝撃から保護するためのクッション部材を備えた頭部保護部と、
前記頭部保護部の左右両側に設置され、前記ペットの頭部側面を覆って保護する頭部側面保護用垂れ部と、
前記頭部側面保護用垂れ部の付け根に設置され、前記ペットの大きさに応じ長さ調節可能であり、前記フード部を該ペットの頭部に固定させるための顎紐部と、
着用させたときに前記ペットの首後部分に位置し、該ペットに繋いだリードを通すためのリード穴部と、
前記リード穴部に隣接すると共に、着用させたときに前記ペットの背中を覆う場所に位置し、該ペットの背中部分を外部衝撃から保護するためのクッション部材を備えた背部保護部と、を有することを特徴とするペット用防災用品。
【請求項２】
前記頭部保護部が、前記ペットの頭尾方向に４つの部位に区分され、
前記頭部保護部において、頭の方から第１番目の部位と第２番目の部位には、難燃素材又は不燃素材で形成されるクッション部材が設置され、第３番目の部位が、着用させたときの前記ペットの首後ろに位置し、該ペットの頭部上げ下げ動作を容易に行わせるために伸縮可能に設置されることを特徴とする請求項１に記載のペット用防災用品。
【請求項３】
前記頭部保護部において、頭の方から第４番目の部位が、前記リード穴部を外側から覆う位置に設置されることを特徴とする請求項２に記載のペット防災用品。
【請求項４】
前記背中保護部が、前記ペットの頭尾方向に２つの部位に区分され、
前記背中保護部において、頭の方から第１番目の部位と第２番目の部位には、難燃素材又は不燃素材で形成されるクッション部材が設置されることを特徴とする請求項１に記載のペット用防災用品。
【請求項５】
前記背中保護部において、前記クッション部材が着脱可能に設置されることを特徴とする請求項４に記載のペット用防災用品。
【請求項６】
前記フード部が備える前記開口部と前記頭部保護部との間の左右両側に設置され、前記ペットの頭部側面に前記フード部を密着させるための伸縮性を備えた部材である頭部側面フィット部を有することを特徴とする請求項１乃至５の何れか一に記載のペット用防災用品。
【請求項７】
左右の前記頭部側面保護用垂れ部どうしを、前記ペットの顎下位置で係止させることが可能であり、
左右の前記頭部側面保護用垂れ部それぞれを、前記フード部が備える前記開口部付近であって、前記ペットの首付近に係止させることが可能であることを特徴とする請求項１乃至６の何れか一に記載のペット用防災用品。
【発明の詳細な説明】
【技術分野】
【０００１】
ペットに着用させる防災用品の技術に関する。
【背景技術】
【０００２】
近年、ペットも家族の重要な一員であるという考え方が浸透している。
【０００３】
そのような状況下、いつ起こるか分からない震災に備え、ペット用の防災用品の開発が行われている。例えば、特許文献１では、ペットが装着することでペットを火災によるやけどや落下物による負傷から守るペット用防災用品が提案されている。
【先行技術文献】
【特許文献】
【０００４】
【特許文献１】実用新案登録第３１０８４０４号公報
【発明の概要】
【発明が解決しようとする課題】
【０００５】
しかしながら、上記の従来技術では、災害時の火災や外部衝撃から、大切なペットを十分に保護することができないという問題点が有った。
【０００６】
そこで、本発明では、上記問題点に鑑み、緊急時の着用をスムーズに行うことができると共に、着用後にもスムーズな移動を阻害せず、災害時の火災及び外部衝撃からペットの全身を保護するペット用防災用品を提案することを目的とする。
【課題を解決するための手段】
【０００７】
開示するペット用防災用品の一形態は、表面が難燃素材又は不燃素材で構成され、ペットの体を覆うように着用させ、該ペットを災害時の火災及び衝撃から保護するペット用防災用品であって、前記ペットの頭部を通して着用させるための開口部であって、首元で止まるように縁が伸縮性の部材で構成される前記開口部を備え、前記ペットの頭部を覆う部位であるフード部と、前記フード部が備える前記開口部の縁であって前記ペットの首下位置から、前記ペットの腹下位置まで帯状に延び、前記ペットの腹部を覆うための腹部保護用垂れ部と、前記腹部保護用垂れ部の先端に設置され、前記ペットの胴周り方向へ左右両側に延び、当該ペット用防災用品を外側から巻き押さえるように止めるベルト部と、前記フード部の上部に位置し、前記ペットの頭部を外部衝撃から保護するためのクッション部材を備えた頭部保護部と、前記頭部保護部の左右両側に設置され、前記ペットの頭部側面を覆って保護する頭部側面保護用垂れ部と、前記頭部側面保護用垂れ部の付け根に設置され、前記ペットの大きさに応じ長さ調節可能であり、前記フード部を該ペットの頭部に固定させるための顎紐部と、着用させたときに前記ペットの首後部分に位置し、該ペットに繋いだリードを通すためのリード穴部と、前記リード穴部に隣接すると共に、着用させたときに前記ペットの背中を覆う場所に位置し、該ペットの背中部分を外部衝撃から保護するためのクッション部材を備えた背部保護部と、を有することを特徴とする。
【０００８】
また、開示するペット用防災用品の一形態は、上記構成に加え、前記頭部保護部が、前記ペットの頭尾方向に４つの部位に区分され、前記頭部保護部において、頭の方から第１番目の部位と第２番目の部位には、難燃素材又は不燃素材で形成されるクッション部材が設置され、第３番目の部位が、着用させたときの前記ペットの首後ろに位置し、該ペットの頭部上げ下げ動作を容易に行わせるために伸縮可能に設置されることを特徴とする。
【０００９】
また、開示するペット用防災用品の一形態は、上記構成に加え、前記頭部保護部において、頭の方から第４番目の部位が、前記リード穴部を外側から覆う位置に設置されることを特徴とする。
【００１０】
また、開示するペット用防災用品の一形態は、上記構成に加え、前記背中保護部が、前記ペットの頭尾方向に２つの部位に区分され、前記背中保護部において、頭の方から第１番目の部位と第２番目の部位には、難燃素材又は不燃素材で形成されるクッション部材が設置されることを特徴とする。
また、開示するペット用防災用品の一形態は、上記構成に加え、前記背中保護部において、前記クッション部材が着脱可能に設置されることを特徴とする。
【００１１】
また、開示するペット用防災用品の一形態は、上記構成に加え、前記フード部が備える前記開口部と前記頭部保護部との間の左右両側に設置され、前記ペットの頭部側面に前記フード部を密着させるための伸縮性を備えた部材である頭部側面フィット部を有することを特徴とする。
【００１２】
また、開示するペット用防災用品の一形態は、上記構成に加え、左右の前記頭部側面保護用垂れ部どうしを、前記ペットの顎下位置で係止させることが可能であり、左右の前記頭部側面保護用垂れ部それぞれを、前記フード部が備える前記開口部付近であって、前記ペットの首付近に係止させることが可能であることを特徴とする。
【発明の効果】
【００１３】
開示するペット用防災用品は、緊急時の着用をスムーズに行うことができると共に、着用後にもスムーズな移動を阻害せず、災害時の火災及び外部衝撃からペットの全身を保護する。
【図面の簡単な説明】
【００１４】
【図１】本実施の形態に係るペット用防災用品の着用状態図である。
【図２】本実施の形態に係るペット用防災用品の平面図（その１）である。
【図３】本実施の形態に係るペット用防災用品の平面図（その２）である。
【図４】本実施の形態に係るペット用防災用品の底面図（その１）である。
【図５】本実施の形態に係るペット用防災用品の底面図（その２）である。
【発明を実施するための形態】
【００１５】
図面を参照しながら、本発明を実施するための形態について説明する。
（本実施の形態に係るペット用防災用品の構造）
【００１６】
図１乃至５を用いて、本実施の形態に係るペット用防災用品（以下、単に「防災用品」という。）１の構造について説明する。図１は防災用品１をペット３４に着用させた状態を表す図であり、図２及び３は防災用品１の表面を表した平面図（着用時に表に現れる面を表した図）であり、図４及び５は防災用品１の裏面を表した底面図（着用時に裏となる面を表した図）である。
【００１７】
図１で示すように、防災用品１は、ペット３４の体を覆うように着用させ、ペット３４を災害時の火災及び外部衝撃から保護するペット用の防災用品である。ここでペット３４とは、犬でも猫でもその他の動物であっても良いが、防災用品１は、特に大型犬用の防災用品として使用することが好適である。
また、防災用品１は、表面が難燃素材又は不燃素材で構成されており、周囲を縁取るパイピングも難燃素材又は不燃素材で構成されている。
【００１８】
図２乃至５で示すように、防炎用品１は、フード部２、腹部保護用垂れ部６、ベルト部８、頭部側面垂れ部２０、顎紐部２２、リード穴部２４、背部保護部２６を有する。
フード部２は、ペット３４の頭部を覆い、頭部への火の粉を避け、落下物などによる外部衝撃からペット３４を保護する役割を果たす部位である。
また、フード部２は、開口部４、頭部保護部１０、頭部側面フィット部３２を有する。
【００１９】
開口部４は、防災用品１をペット３４に着用させるとき、頭部を通すための開口部である。開口部４は、ペット３４の首付け根付近に留まらせておくために、周囲が伸縮性の部材、例えばゴム部材などで構成される。防災用品１は、開口部４を備えるため、緊急時の着用をスムーズに行うことができることに加え、ペット３４の体型に合わせた応用範囲が広くなる。
【００２０】
頭部保護部１０は、ペット３４の頭部上に設置されるクッション状の部材である。なお、クッション状の部材は、難燃性又は不燃性の素材で構成される。頭部保護部１０は、ペット３４の頭尾方向に４つの部位（頭の方から第１番目の部位１２、第２番目の部位１４、第３番目の部位１６、第４番目の部位１８）に区分される。第１番目の部位１２及び第２番目の部位１４にはクッション状の部材が配置されるが、第３番目の部位１６及び第４番目の部位１８にはクッション状の部材を配置してもしなくてもどちらでも良い。また、第１番目の部位１２は、ペット３４が着用したとき、帽子のつばのような役割を果たす。大凡、第１番目の部位１２と第２番目の部位１４がペット３４の頭部から首の後ろに位置し、ペット３４の頭部・頸部への外部衝撃（例えば、落下物等による衝撃）は、第１番目の部位１２及び第２番目の部位１４が保護する。防災用品１は、このような構成を採用することによって、火の粉を避けつつペット３４の視界を妨げないというメリットを有し、また、ペット３４の頭の形、頭・首の動きに対応することができるというメリットを有する。また、第１番目の部位１２及び第２番目の部位１４にクッション部材を設置することによって、ペット３４の頭部への熱の伝わりを遅くするというメリットも有する。
【００２１】
一方、第３番目の部位１６は、ペット３４の首の後ろに位置し、ペット３４が頭部を上げ下げし、首が伸び縮みする動作を吸収するための「あそび」の役割を果たし、伸縮可能な形態で設置される。
【００２２】
他方、第４番目の部位１８は、後述するリード穴部２４を外から覆う位置に設置される。第４番目の部位１８の構成は、リード穴部２４から外部へ突出したペット３４の体毛が燃えないようにする役割を果たす。
【００２３】
頭部側面フィット部３２は、開口部４と頭部保護部１０を繋ぐように左右両側に設置される部位である。頭部側面フィット部３２は、フード部２のペット３４頭部への密着性を高めるための部位であり、フード部２のペット３４頭部へ密着するようにゴム状の伸縮性部材で構成される。
【００２４】
腹部保護用垂れ部６は、開口部４の縁であって、ペット３４の首下位置から腹下位置まで延びる帯状の部位であって、ペット３４の腹部を覆う部位である。防災用品１は、腹部保護用垂れ部６を設けることによって、ペット３４の胸腹部を火災時の火の粉から保護することができる。防災用品１は、腹部保護用垂れ部６を備えるため、ペット３４が足を跨がずに着用可能であり、特に、老犬でも立ったままで着用させることが可能である。これは、緊急時のスムーズな着用にも繋がる。
【００２５】
ベルト部８は、腹部保護用垂れ部６の先端（ペット３４の腹部付近）に設置され、ペット３４の胴囲方向へ左右に延びるベルト状の部位である。ベルト部８は、防災用品１を外側から押さえた状態で、ペット３４に巻き付けて留めるための部材である。ベルト部８の先端付近には、左右に分かれるベルト部８を止めるための係止機構、例えば、面ファスナー、スナップなどが備えられている。防災用品１は、ベルト部８を備えるため、マント状の防災用品１を上から留めるだけでの着用を可能とし、また、ペット３４の体型の大小も問題としない。
【００２６】
頭部側面垂れ部２０は、頭部保護部１０の左右両側に配置される、ペット３４の頭部側面を覆う部位である。頭部側面垂れ部２０は、先端付近には、左右に分かれる頭部側面垂れ部２０を止めるための係止機構、例えば、面ファスナー、スナップなどが備えられている。頭部側面垂れ部２０の構成を採用することによって、ペット３４の頭部側面を火災時の火の粉から保護することができる。また、ペット３４の視界も妨げない。また、頭部側面垂れ部２０は、開口部４の縁（身頃）に、左右それぞれの頭部側面垂れ部２０を係止させる面ファスナー、スナップなどの係止機構を設け、その位置に頭部側面垂れ部２０を係止させることができる形態であっても良い。このようにすることで、いろいろな場面を想定して、着用のパリエーションを増やすことができる。
【００２７】
顎紐部２２は、頭部側面垂れ部２０の根元位置に設置され、フード部２をペット３４の頭部に固定させるための紐状の部材である。顎紐部２２は、ペット３４の耳を通す機能を備えていても良い。顎紐部２２は、ペット３４の大きさに応じて長さが調整できるような機構を備えている。
【００２８】
リード穴部２４は、防災用品１をペット３４に着用させたとき、ペット３４の首後部分に位置する場所に設置される穴であり、ペット３４の首輪類に繋いだリード３６を防災用品１の外に引き出すための穴である。
【００２９】
背部保護部２６は、リード穴部２４のすぐ後方であって、防災用品１をペット３４に着用させたとき、ペット３４の背中を覆う位置に設置されるクッション状の部材である。なお、クッション状の部材は、難燃性又は不燃性の素材で構成される。背部保護２６は、ペット３４の頭尾方向に２つの部位（頭の方から第１番目の部位２８、第２番目の部位３０）に区分される。第１番目の部位２８及び第２番目の部位３０の双方にクッション状の部材が着脱可能な状態で配置される。このようにすることで、防災用品１の取り扱いが容易になる。
【００３０】
なお、背部保護部２６は、クッション部材を着脱可能とするため、袋状になっているが、そこにクッション部材ではなく、使い捨てカイロや保冷剤を挿入して使用することも可能である。ペット３４の背中を温めたり、夏場など特に冷やしたりすることで、ペット３４の体調を整える目的で使用することが可能である。
また、防災用品１の裏側には、ペット３４が迷子となった場合を想定し、連絡先を記載した名札（販売時には連絡先は未記入）を付しても良い。裏側に付す理由は、火災時に燃えないようにするためである。
（本実施の形態に係るペット用防災用品の使用方法）
ここでは図１乃至５を使用して、防災用品１の使用方法（着用方法）について説明する。
第一の手順として、ペット３４の頭を開口部４へ通し、開口部４をペット３４の首回りに配置させると共に、頭部保護部１０の位置の調整を行う。
【００３１】
第二の手順として、腹部保護用垂れ部６をペット３４の前足下から通すと共に腹部まで延ばし、腹部保護用垂れ部６先端に設置されるベルト部８を防災用品１胴部の上からペット３４の背中の方へ回し、先端の係止機構を留める。
第３の手順として、顎紐部２２の長さを調節し、フード部２をペット３４の頭部に固定する。
【００３２】
第４の手順として、頭部側面保護部２０を、ペット３４の頭部側面を覆うように垂らし、先端付近の係止機構を止める。これで、防災用品１の着用は完了である。
【００３３】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００３４】
１    ペット用防災用品
２    フード部
４    開口部
６    腹部保護用垂れ部
８    ベルト部
１０  頭部保護部
１２  第１番目の部位（頭部保護部）
１４  第２番目の部位（頭部保護部）
１６  第３番目の部位（頭部保護部）
１８  第４番目の部位（頭部保護部）
２０  頭部側面保護部
２２  顎紐部
２４  リード穴部
２６  背部保護部
２８  第１番目の部位（背部保護部）
３０  第２番目の部位（背部保護部）
３２  頭部側面フィット部
３４  ペット用防災用品１を着用させるペット
３６  リード
【要約】
【課題】
開示のペット用防災用品は、緊急時の着用をスムーズに行うことができると共に、着用後にもスムーズな移動を阻害せず、災害時の火災及び外部衝撃からペットの全身を保護する。
【解決手段】
開示のペット用防災用品は、ペットの頭部を通して着用させるための開口部を備え、ペットの頭部を覆う部位であるフード部と、ペットの首下位置から腹下位置まで帯状に延び、ペットの腹部を覆うための腹部保護用垂れ部と、腹部保護用垂れ部の先端に設置され、ペットの胴周り方向へ左右両側に延び、ペット用防災用品を外側から巻き押さえるように止めるベルト部と、フード部の上部に位置しクッション部材を備えた頭部保護部と、頭部保護部の左右両側に設置され、ペットの頭部側面を覆って保護する頭部側面保護用垂れ部と、着用させたときにペットの背中を覆う場所に位置しクッション部材を備えた背部保護部と、を有する。
【選択図】図１【図１】
0005384763.tif 000002
【図２】
0005384763.tif 000003
【図３】
0005384763.tif 000004
【図４】
0005384763.tif 000005
【図５】
0005384763.tif 000006